(57)【要約】【課題】  上蓋を閉じたときに、衝撃音が発生することを防止する。上蓋を開状態としたときに、上蓋が止まったままの状態とならないため、投函口から雨水が郵便ポスト内に浸入することを防止する。【解決手段】  投函された郵便物を内部に収容する略箱状の本体部２と、この本体部２の上面に形成している郵便物を投函するための投函口３と、その後端部５が本体部２に回動可能に軸支されて、前記投函口３を開閉自在にする上蓋４と、本体部２の前面に形成している郵便物を取り出す取出口６と、その下端部１０が本体部２に回動可能に軸支されて、前記取出口６を開閉自在にする前蓋７とを備える。上蓋４は、自重で閉まる状態の位置を越えては上向きに回動しないものである。【選択図】        図１
2008149197.tif 000002
【特許請求の範囲】
【請求項１】
投函された郵便物を内部に収容する略箱状の本体部と、この本体部の上面に形成している郵便物を投函するための投函口と、その後端部が本体部に回動可能に軸支されて、前記投函口を開閉自在にする上蓋と、本体部の前面に形成している郵便物を取り出す取出口と、その下端部が本体部に回動可能に軸支されて、前記取出口を開閉自在にする前蓋とを備え、上蓋は、自重で閉まる状態の位置を越えては上向きに回動しないものであることを特徴とする屋外に設置される郵便ポスト。
【請求項２】
上蓋の回動動作を緩慢にするオイルダンパーを設けたことを特徴とする請求項１記載の屋外に設置される郵便ポスト。
【発明の詳細な説明】
【技術分野】
【０００１】
本発明は、本発明は、郵便物を投函するための投函口が上面に形成され、郵便物を取り出す取出口が前面に形成されている、上入れ前出し型の屋外に設置される郵便ポストに関する。
【背景技術】
【０００２】
従来より、屋外に設置される郵便ポストであって、郵便物を投函するための投函口が上面に形成され、郵便物を取り出す取出口が前面に形成されている、上入れ前出し型の郵便ポストが知られている。このような上入れ前出し型の郵便ポストとしては、例えば、図８に示すような、投函された郵便物を内部に収容する略箱状の本体部２と、この本体部２の上面に形成している郵便物を投函するための投函口３と、その後端部５が本体部２に回動可能に軸支されて、前記投函口３を開閉自在にする上蓋４と、本体部２の前面に形成している郵便物を取り出す取出口６と、その上端部８が本体部２に回動可能に軸支されて、前記取出口６を開閉自在にする前蓋７とを備えてなる郵便ポスト１がある。
【０００３】
また、郵便物を取り出す取出口の蓋体を閉じる際に、蓋体に作用する衝撃を最小限に止めることで、衝撃が加わることに伴う不都合を解消する目的で、郵便受けの開閉蓋が閉まる際にゆっくり閉まるように、開閉蓋の回動軸線上に、開放位置から閉塞位置への蓋体の自重による回動を緩慢にする回動抵抗付与手段として油圧ダンパ（オイルダンパー）を設けた配達物受けが知られている（例えば、特許文献１参照。）。しかし、図８に示すような、上入れ前出し型の郵便ポスト１にオイルダンパーを採用した例はない。
【特許文献１】特開２０００−５０３７号公報
【発明の開示】
【発明が解決しようとする課題】
【０００４】
図８に示すような、上入れ前出し型の郵便ポスト１では、上蓋４を閉じた際に、衝撃音が発生し、騒音となっていた。また、上蓋４を開状態としたときに、上蓋４が止まったままの状態となって、投函口３から雨水が郵便ポスト内に浸入することがあった。
【０００５】
本発明は、上記事情に鑑みて成されたもので、上入れ前出し型の郵便ポストであって、上蓋を閉じたときに、衝撃音が発生することを防止できると共に、上蓋を開状態としたときに、上蓋が止まったままの状態とならないため、投函口から雨水が郵便ポスト内に浸入することを防止できる屋外に設置される郵便ポストを提供することを目的としている。
【課題を解決するための手段】
【０００６】
請求項１に係る発明の屋外に設置される郵便ポストは、投函された郵便物を内部に収容する略箱状の本体部と、この本体部の上面に形成している郵便物を投函するための投函口と、その後端部が本体部に回動可能に軸支されて、前記投函口を開閉自在にする上蓋と、本体部の前面に形成している郵便物を取り出す取出口と、その下端部が本体部に回動可能に軸支されて、前記取出口を開閉自在にする前蓋とを備え、上蓋は、自重で閉まる状態の位置を越えては上向きに回動しないものであることを特徴とする。
【０００７】
請求項２に係る発明の屋外に設置される郵便ポストは、請求項１記載の郵便ポストにおいて、上蓋の回動動作を緩慢にするオイルダンパーを設けたことを特徴とする。
【発明の効果】
【０００８】
請求項１に係る発明の屋外に設置する郵便ポストは、上入れ前出し型の郵便ポストであって、上蓋は、自重で閉まる状態の位置を越えては上向きに回動しないものであるから、上蓋を上向きに回動させて開状態とするときに、回動を止めた時点では、上蓋は必ず閉まる方向に自重で回動して、投函口を覆う構成となっているので、投函口から雨水が郵便ポスト内に浸入することを確実に防止できるという効果を奏する。
【０００９】
また、請求項２に係る発明の屋外に設置する郵便ポストは、上蓋の回動動作を緩慢にするオイルダンパーを設けてあるので、上蓋を閉じたときに、衝撃音が発生することを防止できると共に、上蓋を開状態としたときに、上蓋が止まったままの状態となりにくいため、投函口から雨水が郵便ポスト内に浸入することを防止できるという効果を奏する。
【発明を実施するための最良の形態】
【００１０】
以下に、本発明の実施の形態を説明する。図１〜図７に本発明の実施の形態の一例を示す。図１の断面図に示すように、郵便ポスト１は、投函された郵便物を内部に収容する略箱状の本体部２と、この本体部２の上面に形成している郵便物を投函するための投函口３と、その後端部５が本体部２に回動可能に軸支されて、前記投函口３を開閉自在にする上蓋４と、本体部２の前面に形成している郵便物を取り出す取出口６と、その下端部１０が本体部２に回動可能に軸支されて、前記取出口６を開閉自在にする前蓋７と、本体部２の前面に形成していて、前記取出口６の上方にあって、前蓋７が係止される枠体１１とを備えている。
【００１１】
この郵便ポスト１では、前蓋７はその下端部１０が、本体部２に付設した軸９に回動可能に支持され、その上端部８が、係止具３７によって枠体１１に係止されるため、郵便ポスト１内に多量の郵便物が投入されたときでも、前蓋７が開き難く、前蓋７と本体部２との隙間から雨水が浸入することが防止できる。なお、前蓋７の下端部１０に配設して、軸９が挿通される、軸受け部は図１では省略している。
【００１２】
本体部２は、図２に示すように、一対の側板１３、１３と、断面が略Ｃ字状の本体材１４と、枠体１１とで構成されていて、これらを組み立てることで、略箱状となる。この郵便ポスト１では、本体部２を、略Ｃ字状の本体材１４と、枠体１１とを、側板１３、１３で挟み込んで、ねじ止めすることにより組立てることができるようにしているので、板金加工で作製した部材を溶接等で固着して略箱状とする場合に比べ、本体部２の組立てが容易にできる利点がある。また、この郵便ポスト１では、略Ｃ字状の本体材１４と、枠体１１とはアルミ押し出し品、側板１３はアルミダイキャスト品としている。また、上蓋４と、前蓋７とはアルミダイキャスト品としている。なお、これら各部材の材質については、アルミ以外の金属や、プラスチック等とすることも可能である。
【００１３】
上蓋４は、図１に示すように、側面断面の形状を円弧状にしている。また、上蓋４を閉じたときに、本体部２の前面及び閉じられた前蓋７が上蓋４で覆われ、上蓋４の前端部が前蓋７に対してひさしの機能を持つように、上蓋４の前端は、閉じられた前蓋７よりも前方に突出するようにしている。
【００１４】
そして、図３、図４に示すように、上蓋４の回動軸線１５上に、上蓋４の回動動作を緩慢にするオイルダンパー１６を設けている。具体的には、図３、図４に示すように、オイルダンパー１６は、２つのダンパー部材１７、１８を備えていて、一方のダンパー部材１７は、本体部２に固着される嵌合部材１９の貫通孔２０に回動不能に挿入嵌合されている。そのため、嵌合部材１９が本体部２に固着された場合には、一方のダンパー部材１７は、回動することはない。
【００１５】
他方のダンパー部材１８については、上蓋４の側方裏面に形成した突起片２１に、他方のダンパー部材１８に一体に形成しているＵ字状溝を嵌合させている。そのため、他方のダンパー部材１８は、上蓋４の回動に伴って回動するように構成している。なお、図４中に符号１２を付している部材は、オイルダンパー１６を下方から支持する支持部材である。
【００１６】
そして、上蓋４は、図３、図４に示すように、その裏面に配置される軸受け２２にビス等を用いて固定される。この軸受け２２には、軸棒２３が挿通される。この軸棒２３の一方の端部は、前記嵌合部材１９の貫通孔２０に回動自在に挿入され、他方の端部は、前記嵌合部材１９と同様に、本体部２に固着される軸受け部材２４の貫通孔２５に回動自在に挿入される。
【００１７】
したがって、上蓋４を回動させると、Ｕ字状溝を形成している他方のダンパー部材１８が回動する。そのとき、２つのダンパー部材１７、１８間に封入されているオイルの抵抗で、他方のダンパー部材１８の回動動作は緩慢となるため、上蓋４の回動動作も緩慢になる。そして、上蓋４を回動させる方向が上向きでも、下向きでも、上蓋４の回動動作は共に緩慢になる。なお、上蓋４を回動させると、それに伴って上蓋４に固定されている軸受け２２は軸棒２３を軸として回動するが、軸棒２３自体は強制的に回動させられることはない。すなわち、軸棒２３は、上蓋４の回動軸を安定化させる働きをしている。
【００１８】
この郵便ポスト１では、上蓋４の回動軸線１５上に、上蓋４の回動動作を緩慢にするオイルダンパー１６を設けているので、上蓋４を閉じたときに、衝撃音が発生することを防止できる。また、上蓋４を上向きに回動させて開状態とするときに、回動を止めた時点では、回動方向と逆の方向に戻る力が働くため、上蓋４に閉まる方向への力が働き、上蓋４が止まったままの状態にはなりにくい。このように、この郵便ポスト１では、上蓋４を開状態とするときに、上蓋４が止まったままの状態となりにくいため、投函口３から雨水が郵便ポスト内に浸入することを防止できる。特に、上蓋４は、自重で閉まる状態の位置を越えては上向きに回動しないようになっており、このため、上蓋は必ず閉まる方向に自重で回動して、投函口３を覆うので、投函口３から雨水が郵便ポスト内に浸入することを確実に防止できる。
【００１９】
また、この郵便ポスト１では、図５に示すように、前蓋７に、前蓋の上端２６から内側に向けて延出していて、前蓋７を閉じたときに枠体１１の前面に当接する突出片２７を、幅方向の略全長にわたって設けると共に、枠体１１の前面に、前蓋７を閉じたときに前記突出片２７の下面２８とその上面２９が対向し、その先端３０が前蓋７の裏面に当接する突出片受け部３１を設けている。このように、取出口６の上方に、突出片２７と、突出片受け部３１を設けているので、前蓋７の上部からの雨水が、郵便ポスト１内に浸入することが防止される。
【００２０】
また、この郵便ポスト１では、図５に示すように、前記突出片受け部３１よりも下方であって、枠体１１の前面側に、断面が略Ｕ字状で上方が開口する雨止め溝３２を、枠体１１の略全長にわたって設けている。そのため、前蓋７の上部からの雨水が、突出片２７と突出片受け部３１の間から浸入しても、雨止め溝３２で止めることができ、郵便ポスト１内への雨水浸入が防止される。なお、雨止め溝３２に溜まった雨水は、雨止め溝３２の端部側の底部に孔を形成したり、雨止め溝３２の両端に開口部を形成することで、郵便ポスト１外に排出できる。
【００２１】
この郵便ポスト１では、図５、図６に示すように、前蓋７の裏面の、底部側を除く外周の略全域にわたって、内側に向けて突出している雨止め用リブ３３を、前蓋を閉じたときに枠体１１に形成している前記雨止め溝３２より下方となる位置に形成している。そのため、郵便ポスト１内に、前蓋７の上部からの雨水が、雨止め溝３２を越えて浸入したり、前蓋７の側方からの雨水が浸入しても、この雨止め用リブ３３で止めることができ、郵便ポスト１内への雨水浸入が防止される。
【００２２】
また、この郵便ポスト１では、図１、図７に示すように、前蓋７を閉じた状態で、前蓋７の表面側に配置したハンドル３４を時計方向（図７中の矢印方向）に回転させることにより、裏面側に配置した止め金３５が回動し、止め金先端３６が０時位置近傍となったときに、止め金３５が前記枠体１１の裏面に係止される止め金ロック式の係止具３７を前蓋７の上端部８に備えていて、止め金先端３６が、０時の位置よりもさらに前進した位置で、前記枠体１１の裏面に圧接されて停止するようにしている。このように、ロック位置を、０時の位置よりもさらに前進した位置とすると、止め金３５が自重で開方向に回動することが防止されるため、より確実に前蓋７を枠体１１に係止することができるので、前蓋７が開いたままとなり、取出口６から雨水が郵便ポスト１内に浸入することが防止される。
【図面の簡単な説明】
【００２３】
【図１】本発明の実施の形態の一例を示す側面断面図である。
【図２】本発明の実施の形態における本体部の分解斜視図である。
【図３】本発明の実施の形態における上蓋を示す一部を破断した平面図である。
【図４】本発明の実施の形態における油圧ダンパーの取り付け状態を説明する分解斜視図である。
【図５】本発明の実施の形態における、前蓋を閉じたときの構造を説明する要部の側面断面図である。
【図６】本発明の実施の形態における、前蓋の裏面を示す背面図である。
【図７】本発明の実施の形態における、係止具を説明するための要部の正面図である。
【図８】従来の郵便ポストの例を示す斜視図である。
【符号の説明】
【００２４】
１  郵便ポスト
２  本体部
３  投函口
４  上蓋
５  後端部
６  取出口
７  前蓋
１０  下端部
１６  オイルダンパー
【図１】
2008149197.tif 000003
【図２】
2008149197.tif 000004
【図３】
2008149197.tif 000005
【図４】
2008149197.tif 000006
【図５】
2008149197.tif 000007
【図６】
2008149197.tif 000008
【図７】
2008149197.tif 000009
【図８】
2008149197.tif 000010